(57)【要約】【課題】作業時間を短縮すると共に設定ミスを抑制することができる血液浄化システム及び液供給装置を提供する。【解決手段】血液浄化システム１は、患者の血液を浄化する複数の血液浄化装置３と、複数の血液浄化装置３の工程に応じた液体を供給する供給部２２、及びユーザから入力情報を受け付ける入力受付部を有する液供給装置と、を備える血液浄化システムである。液供給装置は、複数の血液浄化装置３の全て又は一部で構成される血液浄化装置群の工程に関する設定項目の入力情報を、入力受付部を介してユーザから受け付ける場合、血液浄化装置群に対して設定項目の当該入力情報を一括で設定する一括設定処理を行う一括設定部２０ａと、血液浄化装置群において設定項目に関する工程が少なくとも実施されている間、一括設定部２０ａが一括設定処理を行うことを阻止する設定阻止部２０ｂと、を備えて概略構成されている。【選択図】図７
2020192287.tif 000002
【特許請求の範囲】
【請求項１】
患者の血液を浄化する複数の血液浄化装置と、
前記複数の血液浄化装置の工程に応じた液体を供給する供給部、及びユーザから入力情報を受け付ける入力受付部を有する液供給装置と、を備える血液浄化システムであって、
前記複数の血液浄化装置の全て又は一部で構成される血液浄化装置群の工程に関する設定項目の入力情報を、前記入力受付部を介してユーザから受け付ける場合、前記血液浄化装置群に対して前記設定項目の当該入力情報を一括で設定する一括設定処理を行う一括設定部と、
前記血液浄化装置群において前記設定項目に関する工程が少なくとも実施されている間、前記一括設定部が前記一括設定処理を行うことを阻止する設定阻止部と、
を更に有する血液浄化システム。
【請求項２】
前記液供給装置及び前記血液浄化装置群のいずれか一方の装置が前記設定項目の入力情報を受け付けているとき、又は前記一方の装置が入力情報を受け付けた後の予め定められた期間内に、前記一方の装置と他方の装置との間で、前記設定項目の入力に関する情報を共有する、
請求項１に記載の血液浄化システム。
【請求項３】
前記液供給装置と前記血液浄化装置群とにおいて優先順位が予め定められ、
前記液供給装置と前記血液浄化装置群との間で、共通の前記設定項目に関するユーザの入力が競合する場合、前記優先順位が高い装置に入力された前記設定項目の入力情報が優先して設定される、
請求項１又は２に記載の血液浄化システム。
【請求項４】
前記設定項目に関する工程が終了した後、新たな設定項目の入力情報を受け付けるために当該工程に関する前記設定項目の設定情報を初期化する、
請求項３に記載の血液浄化システム。
【請求項５】
前記血液浄化装置群において前記設定項目に関する工程が実施されている場合、前記設定阻止部が、前記一括設定部の前記一括設定処理を阻止し、当該工程が終了した後、前記一括設定部が、前記一括設定処理を行う、
請求項１乃至４のいずれか１項に記載の血液浄化システム。
【請求項６】
前記液供給装置及び前記血液浄化装置群のうち前記設定項目の入力情報を設定した装置を示す識別情報を記憶する、
請求項１乃至５のいずれか１項に記載の血液浄化システム。
【請求項７】
前記血液浄化装置群は、前記液供給装置から設定指示を受ける前記設定項目の指示内容が、予め定められた設定範囲内に属することを条件として、前記設定項目の指示内容を設定する、
請求項１乃至６のいずれか１項に記載の血液浄化システム。
【請求項８】
前記液供給装置は、前記一括設定処理において、成否に関わらず、前記血液浄化装置群に対して前記設定項目の入力情報の設定指示を複数回繰り返す、
請求項１乃至７のいずれか１項に記載の血液浄化システム。
【請求項９】
前記設定項目に関する前記血液浄化装置群の工程は、前記供給部が透析液を供給することにより血液を浄化する治療工程、前記供給部が洗浄液又は消毒液を供給することにより前記透析液が流れる透析液回路を洗浄又は消毒する洗浄消毒工程、待機状態である待機工程、及び、前記洗浄液又は消毒液とは異なる液体を前記供給部が供給することにより、前記洗浄消毒工程において使用された洗浄液又は消毒液を当該液体に置換する液置換工程の少なくとも１つの工程である、
請求項１乃至８のいずれか１項に記載の血液浄化システム。
【請求項１０】
前記複数の血液浄化装置の工程に応じた液体を供給する供給部と、
ユーザから入力情報を受け付ける入力受付部と、
前記複数の血液浄化装置の全て又は一部で構成される血液浄化装置群の工程に関する設定項目の入力情報を、前記入力受付部を介してユーザから受け付ける場合、前記血液浄化装置群に対して前記設定項目の当該入力情報を一括で設定する一括設定処理を行う一括設定部と、
前記血液浄化装置群において前記設定項目に関する工程が少なくとも実施されている間、前記一括設定部が前記一括設定処理を行うことを阻止する設定阻止部と、
を備えた液供給装置。
【発明の詳細な説明】
【技術分野】
【０００１】
本発明は、血液浄化システム及び液供給装置に関する。
【背景技術】
【０００２】
従来の技術として、透析液を供給する透析液供給装置と、透析液供給装置から透析液の供給を受ける複数の透析装置と、を備えた透析システムが知られている（例えば、特許文献１参照。）。
【先行技術文献】
【特許文献】
【０００３】
【特許文献１】特開２０１５−１４４７２１号公報
【発明の概要】
【発明が解決しようとする課題】
【０００４】
従来の透析システムは、透析装置ごとに設定を行わなければならないので、作業時間を要し、また設定ミスが発生する可能性がある。
【０００５】
従って本発明の目的は、作業時間を短縮すると共に設定ミスを抑制することができる血液浄化システム及び液供給装置を提供することにある。
【課題を解決するための手段】
【０００６】
上記課題を解決するため、請求項１に記載の発明の血液浄化システムは、
患者の血液を浄化する複数の血液浄化装置と、
前記複数の血液浄化装置の工程に応じた液体を供給する供給部、及びユーザから入力情報を受け付ける入力受付部を有する液供給装置と、を備える血液浄化システムであって、
前記複数の血液浄化装置の全て又は一部で構成される血液浄化装置群の工程に関する設定項目の入力情報を、前記入力受付部を介してユーザから受け付ける場合、前記血液浄化装置群に対して前記設定項目の当該入力情報を一括で設定する一括設定処理を行う一括設定部と、
前記血液浄化装置群において前記設定項目に関する工程が少なくとも実施されている間、前記一括設定部が前記一括設定処理を行うことを阻止する設定阻止部と、を更に有する。
【０００７】
請求項２に記載の発明は、前記液供給装置及び前記血液浄化装置群のいずれか一方の装置が前記設定項目の入力情報を受け付けているとき、又は前記一方の装置が入力情報を受け付けた後の予め定められた期間内に、前記一方の装置と他方の装置との間で、前記設定項目の入力に関する情報を共有する、
請求項１に記載の血液浄化システムである。
【０００８】
請求項３に記載の発明は、前記液供給装置と前記血液浄化装置群とにおいて優先順位が予め定められ、
前記液供給装置と前記血液浄化装置群との間で、共通の前記設定項目に関するユーザの入力が競合する場合、前記優先順位が高い装置に入力された前記設定項目の入力情報が優先して設定される、
請求項１又は２に記載の血液浄化システムである。
【０００９】
請求項４に記載の発明は、前記設定項目に関する工程が終了した後、新たな設定項目の入力情報を受け付けるために当該工程に関する前記設定項目の設定情報を初期化する、
請求項３に記載の血液浄化システムである。
【００１０】
請求項５に記載の発明は、前記血液浄化装置群において前記設定項目に関する工程が実施されている場合、前記設定阻止部が、前記一括設定部の前記一括設定処理を阻止し、当該工程が終了した後、前記一括設定部が、前記一括設定処理を行う、
請求項１乃至４のいずれか１項に血液浄化システムである。
【００１１】
請求項６に記載の発明は、前記液供給装置及び前記血液浄化装置群のうち前記設定項目の入力情報を設定した装置を示す識別情報を記憶する、
請求項１乃至５のいずれか１項に記載の血液浄化システムである。
【００１２】
請求項７に記載の発明の前記血液浄化装置群は、前記液供給装置から設定指示を受ける前記設定項目の指示内容が、予め定められた設定範囲内に属することを条件として、前記設定項目の指示内容を設定する、
請求項１乃至６のいずれか１項に記載の血液浄化システムである。
【００１３】
請求項８に記載の発明の前記液供給装置は、前記一括設定処理において、成否に関わらず、前記血液浄化装置群に対して前記設定項目の入力情報の設定指示を複数回繰り返す、
請求項１乃至７のいずれか１項に記載の血液浄化システムである。
【００１４】
請求項９に記載の発明は、前記設定項目に関する前記血液浄化装置群の工程は、前記供給部が透析液を供給することにより血液を浄化する治療工程、前記供給部が洗浄液又は消毒液を供給することにより前記透析液が流れる透析液回路を洗浄又は消毒する洗浄消毒工程、待機状態である待機工程、及び、前記洗浄液又は消毒液とは異なる液体を前記供給部が供給することにより、前記洗浄消毒工程において使用された洗浄液又は消毒液を当該液体に置換する液置換工程の少なくとも１つの工程である、
請求項１乃至８のいずれか１項に記載の血液浄化システムである。
【００１５】
請求項１０に記載の発明の液供給装置は、
前記複数の血液浄化装置の工程に応じた液体を供給する供給部と、
ユーザから入力情報を受け付ける入力受付部と、
前記複数の血液浄化装置の全て又は一部で構成される血液浄化装置群の工程に関する設定項目の入力情報を、前記入力受付部を介してユーザから受け付ける場合、前記血液浄化装置群に対して前記設定項目の当該入力情報を一括で設定する一括設定処理を行う一括設定部と、
前記血液浄化装置群において前記設定項目に関する工程が少なくとも実施されている間、前記一括設定部が前記一括設定処理を行うことを阻止する設定阻止部と、
を備える。
【発明の効果】
【００１６】
請求項１、１０の発明によれば、作業時間を短縮すると共に設定ミスを抑制することができる。
【００１７】
請求項２、３、４の発明によれば、意図しない設定変更を抑制することができる。
【００１８】
請求項５の発明によれば、ユーザが工程の終了を待って一括設定の入力を行わなくても良い。
【００１９】
請求項６の発明によれば、ユーザの認識と実際に反映された設定項目との齟齬を抑制することができる。
【００２０】
請求項７の発明によれば、設定範囲外の動作を抑制することができる。
【００２１】
請求項８の発明によれば、設定項目の設定漏れを抑制することができる。
【００２２】
請求項９の発明によれば、血液浄化装置の複数の工程のうちの少なくとも１つの工程を対象として一括で設定項目を設定することができる。
【図面の簡単な説明】
【００２３】
【図１】図１は、第１の実施の形態に係る血液浄化システムのブロック図の一例である。
【図２】図２は、第１の実施の形態に係る血液浄化システムの透析液などの流れの一例を示す概略図である。
【図３】図３（ａ）は、第１の実施の形態に係る血液浄化システムの血液浄化装置の一例を示す概略図であり、図３（ｂ）は、血液浄化装置の構成の一例を示す概略図である。
【図４】図４は、第１の実施の形態に係る透析液供給装置の洗消記録画面の一例を示す概略図である。
【図５】図５は、第１の実施の形態に係る透析液供給装置の一括設定画面の一例を示す概略図である。
【図６】図６は、第１の実施の形態に係る血液浄化装置の設定画面の一例を示す概略図である。
【図７】図７は、第１の実施の形態に係る血液浄化システムの動作の一例を示すフローチャートである。
【発明を実施するための形態】
【００２４】
[第１の実施の形態]
（血液浄化システム１の概要）
図１は、第１の実施の形態に係る血液浄化システムのブロック図の一例である。図２は、第１の実施の形態に係る血液浄化システムの透析液などの流れの一例を示す概略図である。図３（ａ）は、第１の実施の形態に係る血液浄化システムの血液浄化装置の一例を示す概略図であり、図３（ｂ）は、血液浄化装置の構成の一例を示す概略図である。また図１では、主な情報の流れを矢印で示している。さらに図２では、主な配管を流れる液体などを矢印で示している。なお以下に記載する数値範囲を示す「Ａ〜Ｂ」は、Ａ以上Ｂ以下の意味で用いるものとする。
【００２５】
血液浄化システム１は、患者の血液から余分な水分や老廃物を取り除くと共に必要な物質を補充して浄化された血液を患者に戻す透析治療を行うためのシステムである。
【００２６】
血液浄化システム１は、図１に示すように、患者の血液を浄化する複数の血液浄化装置３と、複数の血液浄化装置３の工程に応じた液体を供給する供給部２２、及びユーザから入力情報を受け付ける入力受付部を有する液供給装置と、を備える血液浄化システムである。液供給装置は、複数の血液浄化装置３の全て又は一部で構成される血液浄化装置群の工程に関する設定項目の入力情報を、入力受付部を介してユーザから受け付ける場合、血液浄化装置群に対して設定項目の当該入力情報を一括で設定する一括設定処理を行う一括設定部２０ａと、血液浄化装置群において設定項目に関する工程が少なくとも実施されている間、一括設定部２０ａが一括設定処理を行うことを阻止する設定阻止部２０ｂと、を備えて概略構成されている。
【００２７】
本実施の形態の液供給装置は、一例として、透析液Ｌ５を供給する透析液供給装置２である。
【００２８】
血液浄化システム１は、透析液供給装置２及び血液浄化装置群のうち設定項目の入力情報を設定した装置を示す識別情報を記憶するように概略構成されている。本実施の形態では、血液浄化装置群の血液浄化装置３が設定項目の設定元を示す情報として後述する履歴情報３５０を記憶する。
【００２９】
さらに透析液供給装置２は、一括設定処理において、成否に関わらず、血液浄化装置群に対して設定項目の入力情報の設定指示を複数回繰り返すように概略構成されている。
【００３０】
設定項目に関する血液浄化装置群の工程は、供給部２２が透析液Ｌ５を供給することにより血液を浄化する治療工程、供給部２２が洗浄液又は消毒液を供給することにより透析液Ｌ５が流れる透析液回路を洗浄又は消毒する洗浄消毒工程、待機状態である待機工程、及び、洗浄液又は消毒液とは異なる液体を供給部２２が供給することにより、洗浄消毒工程において使用された洗浄液又は消毒液を当該液体に置換する液置換工程の少なくとも１つの工程である。透析液回路とは、後述する透析液導入ライン３２ａ及び透析液排出ライン３２ｂを含む回路である。
【００３１】
血液浄化システム１は、一例として、図１に示すように、透析液供給装置２と複数の血液浄化装置３とがネットワーク４によって電磁気的に接続されている。なお透析液供給装置２は、一例として、４０〜１００台の血液浄化装置３と接続されている。
【００３２】
電磁気的に接続とは、導電体による接続、電磁波の一種である光による接続、及び電磁波の一種である電波による接続の少なくとも１つを用いた接続を示している。装置同士が導電体によって接続された場合は、装置間の通信としては、有線通信が行われ、光によって接続された場合は、光通信が行われ、電波によって接続された場合は、無線通信が行われる。本実施の形態では、有線接続による有線通信が行われる。
【００３３】
血液浄化システム１は、ネットワーク４を介した通信の方法としてマルチキャストを用いている。血液浄化システム１は、マルチキャストを用いることにより、透析液供給装置２から複数の血液浄化装置３への同じ情報や同一の信号の送信を可能としている。
【００３４】
また血液浄化システム１は、一例として、図２に示すように、ＲＯ水製造装置５、酸洗浄用薬液導入部６、消毒用薬液導入部７及び溶解装置８と、透析液供給装置２と、が複数の配管（＝配管Ｈ１〜配管Ｈ５）を介して接続されている。また透析液供給装置２は、配管Ｈ６から分岐した複数の配管Ｈ７のそれぞれに血液浄化装置３が接続されている。
【００３５】
透析液供給装置２は、ＲＯ水製造装置５、酸洗浄用薬液導入部６、消毒用薬液導入部７及び溶解装置８と共に１つの部屋（機械室）に設置されている。また複数の血液浄化装置３は、透析液供給装置２とは異なる部屋（透析室）に配置されている。
【００３６】
ここで血液浄化システム１は、複数の血液浄化装置３を少なくとも１つの血液浄化装置群に分け、この血液浄化装置群ごとに受け付けた設定項目を一括で設定する。この血液浄化装置群は、例えば、建物のフロア、病室、使用頻度、使用と未使用などに応じて分けられる。本実施の形態の血液浄化装置群は、一例として、透析液供給装置２に接続された全ての血液浄化装置３であるものとする。なお血液浄化装置群は、複数の血液浄化装置群のうちの１つの血液浄化装置３によって構成されても良い。血液浄化装置群は、後述の入力受付部等のユーザーインターフェイスを介してユーザが指定しても良い。
【００３７】
（透析液供給装置２の構成）
透析液供給装置２は、図１に示すように、複数の血液浄化装置３の工程に応じた液体を供給する供給部２２と、ユーザから入力情報を受け付ける入力受付部と、複数の血液浄化装置３の全て又は一部で構成される血液浄化装置群の工程に関する設定項目の入力情報を、入力受付部を介してユーザから受け付ける場合、血液浄化装置群に対して設定項目の当該入力情報を一括で設定する一括設定処理を行う一括設定部２０ａと、血液浄化装置群において設定項目に関する工程が少なくとも実施されている間、一括設定部が一括設定処理を行うことを阻止する設定阻止部２０ｂと、を備えて概略構成されている。
【００３８】
ここで図１に示す制御部２０は、一例として、一括設定部２０ａと設定阻止部２０ｂを備えて概略構成されているがこれに限定されず、少なくとも一方が制御部２０とは別に設けられても良い。
【００３９】
本実施の形態の入力受付部は、タッチパネル２１として構成されている。このタッチパネル２１は、有機ＥＬ（＝Electro-Luminescence）ディスプレイなどの表示部と、タッチ操作やなぞり操作などの入力を受け付けるタッチパッドなどの入力部と、が表示部の上に入力部が重ねられて一体となったものである。なお入力受付部は、キーボード、マウス及びタッチパッドなどであっても良いし、これらとタッチパネルとを組み合わせて構成されても良い。この場合、表示部と入力受付部は、別々に配置される。
【００４０】
さらに透析液供給装置２は、外部の入力部によって入力された入力情報を入力受付部によって間接的に受け付ける構成としても良い。
【００４１】
また透析液供給装置２は、例えば、図１に示すように、通信部２３と、記憶部２４と、を備えている。通信部２３は、ネットワーク４を介して複数の血液浄化装置３と信号や情報などの相互の交換を行う。記憶部２４は、半導体メモリ、ＳＳＤ（＝Solid State Drive）及びＨＤＤ（＝Hard Disk Drive）などを備えて概略構成されている。
【００４２】
制御部２０は、例えば、記憶されたプログラムに従って、取得したデータに演算、加工などを行うＣＰＵ（＝Central Processing Unit）、半導体メモリであるＲＡＭ（＝Random Access Memory）及びＲＯＭ（＝Read Only Memory）などから構成されるマイクロコンピュータである。このＲＯＭには、例えば、制御部２０が動作するためのプログラムが格納されている。ＲＡＭは、例えば、一時的に演算結果などを格納する記憶領域として用いられる。また制御部２０は、その内部にクロック信号を生成する手段を有し、このクロック信号に基づいて動作を行うと共に時間の測定を行う。なお記憶部２４は、制御部２０のＲＡＭであっても良い。
【００４３】
制御部２０は、血液浄化装置３からネットワーク４を介して取得した動作情報Ｓ２を記憶部２４に格納する。そして制御部２０は、取得した血液浄化装置３ごとの動作情報Ｓ２に基づいて工程ごとの動作の記録をタッチパネル２１の表示部に表示させる。
【００４４】
一括設定部２０ａは、血液浄化装置群に設定項目を一括して設定するように構成されている。また設定阻止部２０ｂは、血液浄化装置群が一括した設定の対象となる工程が少なくとも実施されている間、一括設定に関する一括設定処理を阻止するように概略構成されている。制御部２０は、一括設定部２０ａ及び設定阻止部２０ｂを制御する。なお設定阻止部２０ｂは、入力受付部が受け付けたユーザからの一括設定の指示内容を他の装置に送信し、一括設定の許否を問い合わせ、一括設定を阻止すべき旨の回答内容を受信する場合に、一括設定を阻止しても良い。他の装置は、血液浄化システム１に含まれても良いし、血液浄化システム１に含まれない外部の装置であっても良い。また設定阻止部２０ｂは、一括設定を阻止した場合、阻止したことによりアラーム音を出力したり、メッセージを表示したりしてユーザに報知しても良い。
【００４５】
ここで他の変形例としての設定阻止部２０ｂは、入力受付部において、実施中の工程に関する設定項目・設定要素に対してユーザに操作（入力）させないように制御することで、一括設定を阻止するように構成されても良い。
【００４６】
一括設定を阻止する方法は、例えば、設定項目・設定要素（アイコン、ボタン、ソフトキーなど）をグレイアウトする、実施中の工程に関する設定項目・設定要素を一時的に表示させないようにする、入力受付部がハードキーの場合、ハードキーを物理的に操作させないようにするなどの方法がある。
【００４７】
設定項目・設定要素をグレイアウトする方法について
設定阻止部２０ｂは、入力受付部がタッチパネル２１である場合、実施中の工程に関してタッチパネル２１に表示される設定項目・設定要素をグレイアウトすると共にグレイアウトした設定項目・設定要素に対する入力を受け付けないことで操作（入力）させないようにする。本実施の形態の設定阻止部２０ｂは、グレイアウトすると共に入力を受け付けないことで一括設定を阻止している。なお変形例として設定阻止部２０ｂは、表示部と入力受付部とが別々に配置される場合、表示部に表示された設定項目・設定要素をグレイアウトすると共に入力受付部による設定項目・設定要素に対する入力を受け付けないようにする。
【００４８】
設定項目・設定要素を一時的に表示させないようにする方法について
設定阻止部２０ｂは、入力受付部がタッチパネル２１である場合、実施中の工程に関する設定項目・設定要素を一時的にタッチパネル２１に表示させないようにする。なお変形例として設定阻止部２０ｂは、表示部と入力受付部とが別々に配置される場合、表示部に設定項目・設定要素を一時的に表示させないようにする。
【００４９】
ハードキーを物理的に操作させないようにする方法について
例えば、入力受付部の入力部がハードキーであって、ハードキーを覆う閉状態と、覆っていない開状態とで、開閉可能なカバーを備えた場合、設定阻止部２０ｂは、カバーを閉状態に開閉制御することによって、ハードキーを物理的に操作させないようにする。
【００５０】
また他の変形例としての透析液供給装置２は、一括設定部２０ａを備えなくても良い。本変形例の血液浄化システム１は、例えば、一括設定を行う際、一括設定部を備える透析液供給装置２以外の他の装置に依頼し、他の装置が代理で血液浄化装置群に対して一括で設定項目の設定を行うように構成される。
【００５１】
さらに他の変形例としての透析液供給装置２は、設定阻止部２０ｂを備えなくても良い。本変形例の血液浄化装置３は、例えば、一括設定の指示を透析液供給装置２から受け付ける場合に、一括設定の指示に関する設定項目の工程を自装置が実施しているときには、その一括設定指示を拒否するように構成される。
【００５２】
供給部２２は、溶解装置８によって生成される透析液原液（＝Ａ原液Ｌ４ａ及びＢ原液Ｌ４ｂ）から予め定められた濃度の透析液Ｌ５を生成すると共に複数の血液浄化装置３に供給する。また供給部２２は、血液浄化装置３を洗浄及び消毒する洗消工程において使用する洗浄水（ＲＯ水Ｌ１）、消毒液Ｌ６及び酸洗浄液Ｌ７を複数の血液浄化装置３に供給する。
【００５３】
この供給部２２は、配管Ｈ１〜配管Ｈ６と、ポンプ９０〜ポンプ９２と、を備えている。また供給部２２は、配管Ｈ１〜配管Ｈ５を介してＲＯ水製造装置５、酸洗浄用薬液導入部６、消毒用薬液導入部７及び溶解装置８と接続されている。
【００５４】
（血液浄化装置３の構成）
血液浄化装置３は、図１に示すように、制御部３０と、タッチパネル３１と、血液浄化部３２と、検知部３３と、通信部３４と、記憶部３５と、を備えて概略構成されている。
【００５５】
制御部３０は、例えば、記憶されたプログラムに従って、取得したデータに演算、加工などを行うＣＰＵ、半導体メモリであるＲＡＭ、及びＲＯＭなどから構成されるマイクロコンピュータである。このＲＯＭには、例えば、制御部３０が動作するためのプログラムが格納されている。ＲＡＭは、例えば、一時的に演算結果などを格納する記憶領域として用いられる。また制御部３０は、その内部にクロック信号を生成する手段を有し、このクロック信号に基づいて動作を行うと共に時間の測定を行う。なお記憶部３５は、制御部３０のＲＡＭであっても良い。
【００５６】
制御部３０は、設定項目を設定した設定元、実施した工程に関する開始時間、終了時間、薬液の量などの情報を履歴情報３５０として記憶部３５に記憶させる。そして制御部３０は、例えば、周期的に履歴情報３５０から動作情報Ｓ２を生成し、ネットワーク４を介して透析液供給装置２に出力する。この動作情報Ｓ２は、一例として、設定項目を設定した設定元、実施した工程に関する開始時間、終了時間、電導度、吸光度及び薬液の量などの情報である。また設定項目を設定した設定元の情報は、透析液供給装置２の一括した設定（＝一括設定）、血液浄化装置３の個別の設定（＝個別設定）のいずれの設定が反映されているかの情報である。
【００５７】
タッチパネル３１は、タッチパネル２１と同様に、表示部の上に入力部が重ねて一体とされている。
【００５８】
血液浄化部３２は、図３（ａ）及び図３（ｂ）に示すように、透析液導入ライン３２ａと、透析液排出ライン３２ｂと、ダイアライザ３２０と、を備えて概略構成されている。このダイアライザ３２０には、さらに動脈側血液回路３２ｃと、静脈側血液回路３２ｄとが接続されている。
【００５９】
動脈側血液回路３２ｃは、一方端である動脈側穿刺針が患者の動脈に穿刺され、他方端がダイアライザ３２０の血液導入口３２０ａに接続されている。この動脈側血液回路３２ｃには、しごき型ポンプである血液ポンプ３２７が接続されている。
【００６０】
静脈側血液回路３２ｄは、一方端である静脈側穿刺針が患者の静脈に穿刺され、他方端がダイアライザ３２０の血液導出口３２０ｂに接続されている。
【００６１】
患者の血液は、動脈側血液回路３２ｃを通ってダイアライザ３２０に至った後、ダイアライザ３２０によって血液浄化処理が行われ、静脈側血液回路３２ｄを通って患者の体内に戻るようになっている。
【００６２】
ダイアライザ３２０は、血液導入口３２０ａ、血液導出口３２０ｂ、透析液導入口３２０ｃ及び透析液導出口３２０ｄを備えている。透析液導入口３２０ｃ及び透析液導出口３２０ｄは、カプラ３２１ａ及びカプラ３２１ｂを介して透析液導入ライン３２ａ及び透析液排出ライン３２ｂにそれぞれ接続されている。ダイアライザ３２０は、図３（ａ）に示すように、透析治療の間、カプラ受け３２８にセットされている。
【００６３】
ダイアライザ３２０は、複数の中空糸を有し、この中空糸によって血液を浄化するように構成されている。またダイアライザ３２０は、血液浄化膜を介して血液導入口３２０ａと血液導出口３２０ｂを繋ぐ血液流路と、透析液導入口３２０ｃと透析液導出口３２０ｄを繋ぐ透析液流路と、が形成されている。血液浄化膜を構成する中空糸は、外周面と内周面とを貫通した微小な孔が形成されて中空糸膜を形成しており、この中空糸膜を介して血液中の不純物などが透析液内に透過する。
【００６４】
透析液導入ライン３２ａは、透析液供給装置２の配管Ｈ６から分岐した配管Ｈ７と接続されている。また透析液排出ライン３２ｂは、透析液供給装置２から供給され、透析液導入ライン３２ａ及びダイアライザ３２０を経由した透析液Ｌ５を排出する流路となっている。
【００６５】
透析液導入ライン３２ａ及び透析液排出ライン３２ｂには、複式ポンプ３２５が配置されている。透析液Ｌ５は、複式ポンプ３２５によって透析液導入ライン３２ａ及び透析液排出ライン３２ｂを流れる。
【００６６】
透析液導入ライン３２ａは、吸入側の複式ポンプ３２５とダイアライザ３２０との間に透析液Ｌ５を清浄化するための濾過フィルタ３２４ａ及び濾過フィルタ３２４ｂが接続されている。この濾過フィルタ３２４ａ及び濾過フィルタ３２４ｂは、透析液排出ライン３２ｂとの間にバイパスラインが設けられている。そしてバイパスラインには、流路を開閉する電磁弁３２２ｃ及び電磁弁３２２ｄが接続されている。
【００６７】
透析液排出ライン３２ｂは、吐出側の複式ポンプ３２５をバイパスする除水ポンプ３２６が配置されている。この除水ポンプ３２６は、ダイアライザ３２０を流れる患者の血液から余分な水分を除去するために設けられている。
【００６８】
透析液導入ライン３２ａ及び透析液排出ライン３２ｂのダイアライザ３２０側には、電磁弁３２２ａ及び電磁弁３２２ｂが配置されている。この電磁弁３２２ａ及び電磁弁３２２ｂは、ダイアライザ３２０に導入及び排出される透析液Ｌ５の流路を開閉する。
【００６９】
透析液導入ライン３２ａ及び透析液排出ライン３２ｂは、透析液導入ライン３２ａの上流側と透析液排出ライン３２ｂの下流側との間にバイパスラインが設けられている。そしてこのバイパスラインには、流路を開閉する電磁弁３２２ｅが接続されている。また透析液排出ライン３２ｂの当該バイパスラインとの接続部分より下流側には、流路を開閉する電磁弁３２２ｆが接続されている。
【００７０】
制御部３０は、電磁弁３２２ａ〜電磁弁３２２ｆを制御して流路を開閉する。また制御部３０は、複式ポンプ３２５及び血液ポンプ３２７を制御して透析液Ｌ５や血液の導入、排出を行う。
【００７１】
検知部３３は、配管内の液体の濃度を検知する濃度検知センサ３３ａ〜濃度検知センサ３３ｃと、液体のｐＨを検知するｐＨ検知センサ３３ｄと、液体の温度を検知する温度検知センサ３３ｅ及び温度検知センサ３３ｆと、液体の圧力を検知する液圧検知センサ３３ｇと、を備えて概略構成されている。なお検知部３３は、配管内の液体の流通の有無を検出する流通検出センサを備えていても良い。
【００７２】
濃度検知センサ３３ａは、透析治療時の配管内の液体（透析液）の電導度を介して濃度を検知するものであると共に、非透析治療時の液体（薬液、ＲＯ水）の濃度を検知することができる。濃度検知センサ３３ｂは、透析治療時の配管内の液体（透析液）に光を照射して漏血を検知すると共に非透析治療時の液体の濃度を介して流通の有無を検知することができる。また濃度検知センサ３３ｃは、透析治療時の配管内の液体（透析液）に紫外線を照射して尿素濃度を検知すると共に非透析治療時の液体（薬液、ＲＯ水）の濃度を介して流通の有無を検知することができる。吸光度は、濃度検知センサ３３ｃによって検知される。
【００７３】
ｐＨ検知センサ３３ｄは、透析治療時に供給される液体（透析液）のｐＨを検知すると共に非透析治療時の配管内の液体（薬液、ＲＯ水）のｐＨを検知することができる。具体的には、ｐＨ検知センサ３３ｄは、非透析時において酸を検出した場合、配管内に過酢酸やクエン酸の液体が流通していることを検知することができ、アルカリを検出した場合、次亜塩素酸の液体が流通していることを検知することができ、中性を検出した場合、ＲＯ水Ｌ１（＝洗浄水）が流通していることを検知することができる。
【００７４】
温度検知センサ３３ｅ及び温度検知センサ３３ｆは、配管を流通する液体の温度を検知する。具体的には、温度検知センサ３３ｅ及び温度検知センサ３３ｆは、非透析時において予め定められた温度以上の液体の検知を介して消毒のための熱湯の流通を検知することができる。なお温度検知センサ３３ｅは、温度及び流通時間を検知するものであっても良い。
【００７５】
液圧検知センサ３３ｇは、配管を流通する液体の圧力を検知する。具体的には、液圧検知センサ３３ｇは、配管を流通する液体の粘度や温度の変化に伴って液圧が異なるので、この液圧の検知を介して液体の種類を判定する。
【００７６】
流通検知センサは、血液浄化部３２の電磁弁３２２ａ〜電磁弁３２２ｆ、複式ポンプ３２５、除水ポンプ３２６などの上流側及び下流側に発振電極と受信電極とを配置し、液体の流通時におけるポンプの動作や電磁弁の開状態に伴う導通の有無によって、当該電磁弁の開閉やポンプの駆動を検知可能なものである。流通検知センサは、この導通の有無によって非透析治療時における液体の流通を検知することができる。
【００７７】
通信部３４は、ネットワーク４を介して透析液供給装置２と信号や情報などの相互の交換を行う。記憶部３５は、半導体メモリ、ＳＳＤ及びＨＤＤなどを備えて構成されている。
【００７８】
（ＲＯ水製造装置５の構成）
ＲＯ水製造装置５は、配管Ｈ１を介して透析液供給装置２と接続されている。このＲＯ水製造装置５は、原水を浄化してＲＯ水Ｌ１を生成する。このＲＯ水Ｌ１は、配管Ｈ１を通して透析液供給装置２に供給される。供給されたＲＯ水Ｌ１は、透析液Ｌ５の生成に用いられると共に配管などを洗浄する洗浄水として用いられる。
【００７９】
（酸洗浄用薬液導入部６の構成）
酸洗浄用薬液導入部６は、配管Ｈ３を介して透析液供給装置２と接続されている。この酸洗浄用薬液導入部６には、配管Ｈ６及び配管Ｈ７などに析出した炭酸塩を溶解するための過酢酸Ｌ３が導入される。透析液供給装置２は、導入された過酢酸Ｌ３とＲＯ水Ｌ１とを混合して酸洗浄液Ｌ７を生成する。なお酸洗浄用薬液導入部６は、過酢酸に限定されず他の消毒用の薬剤や液体を導入するようにされても良い。
【００８０】
（消毒用薬液導入部７の構成）
消毒用薬液導入部７は、配管Ｈ２を介して透析液供給装置２と接続されている。この消毒用薬液導入部７には、配管Ｈ６及び配管Ｈ７などを消毒及び殺菌するための次亜塩素酸Ｌ２が導入される。透析液供給装置２は、導入された次亜塩素酸Ｌ２とＲＯ水Ｌ１とを混合して消毒液Ｌ６を生成する。なお消毒用薬液導入部７は、次亜塩素酸に限定されず、例えば過酢酸及びクエン酸などの他の消毒用の薬剤や液体を導入するようにされても良い。
【００８１】
変形例として、透析液供給装置２は、ＲＯ水製造装置５から供給されたＲＯ水Ｌ１を加熱した熱水、又はＲＯ水製造装置５が生成して供給した熱水を血液浄化装置３に供給するように構成されても良い。熱水による消毒を行う場合、透析液供給装置２は、酸洗浄用薬液導入部６又は消毒用薬液導入部７から導入されたクエン酸と熱水とを混合して消毒を行う。
【００８２】
（溶解装置８の構成）
溶解装置８は、配管Ｈ４及び配管Ｈ５を介して透析液供給装置２と接続されている。溶解装置８は、投入された透析用紛体薬剤と清浄水（例えばＲＯ水Ｌ１）とを混合して所定の濃度の透析液原液（＝Ａ原液Ｌ４ａ及びＢ原液Ｌ４ｂ）を生成する。そして溶解装置８は、生成したＡ原液Ｌ４ａ及びＢ原液Ｌ４ｂを、配管Ｈ４及び配管Ｈ５を介して透析液供給装置２に導入する。配管Ｈ４及び配管Ｈ５は、ポンプ９１及びポンプ９２に接続されている。
【００８３】
透析液供給装置２は、このポンプ９１及びポンプ９２の制御に基づいて任意のタイミングで得たＡ原液Ｌ４ａ及びＢ原液Ｌ４ｂと、ＲＯ水製造装置５から得たＲＯ水Ｌ１と、を用いて透析液Ｌ５を生成する。なおＲＯ水Ｌ１は、ＲＯ水製造装置５以外から供給されても良い。
【００８４】
（血液浄化システム１の工程について）
血液浄化システム１の主な工程は、上述の血液浄化装置３における洗消工程、プリセット工程、液置換工程及び治療工程である。
【００８５】
洗消工程とは、透析液供給装置２及び血液浄化装置３の配管Ｈ６、配管Ｈ７、透析液導入ライン３２ａ及び透析液排出ライン３２ｂなどを洗浄及び消毒する工程である。
【００８６】
透析液供給装置２は、治療工程が終了してダイアライザ３２０がカプラ３２１ａ及びカプラ３２１ｂから取り外されると共にカプラ３２１ａとカプラ３２１ｂとが接続されて透析液導入ライン３２ａと透析液排出ライン３２ｂとがバイパス状態となったことに基づいて治療工程の終了を検知する。血液浄化装置３は、接続されたカプラ３２１ａ及びカプラ３２１ｂがセットされるカプラ受け３２８にスイッチを有し、このスイッチがバイパス状態を検知する。透析液供給装置２は、バイパス状態において洗消工程を行う。
【００８７】
プリセット工程とは、洗消工程の終了から液置換工程が開始されるまでの待機状態にある工程である。液置換工程とは、治療工程の前工程であり、配管内の液体を透析液Ｌ５に置き換える工程である。治療工程とは、透析治療を行う工程である。
【００８８】
（設定項目の一括設定について）
図４は、第１の実施の形態に係る透析液供給装置の洗消記録画面の一例を示す概略図である。図５は、第１の実施の形態に係る透析液供給装置の一括設定画面の一例を示す概略図である。図６は、第１の実施の形態に係る血液浄化装置の設定画面の一例を示す概略図である。図４では、透析液供給装置２を「ＤＡＢ」、血液浄化装置３を「ＤＣＳ」として図示している。「ＤＣＳ」の左側の数字は、透析液供給装置２に接続された血液浄化装置３に付された番号である。
【００８９】
透析液供給装置２の洗消記録画面２１０は、タッチパネル２１の表示部に表示される画面である。この洗消記録画面２１０には、図４に示すように、「開始日時」、「工程」、「洗消完了時間」、「洗消完了判定」、「薬液使用量」、「通し番号」、「送液開始時刻」、「置換完了時刻」、「電導度（置換完了時）」、「吸光度（置換完了時）」、「洗消完了時刻」、「電導度（洗消完了時）」、「吸光度（洗消完了時）」、「合計液量」などの項目が表示されている。この洗消記録画面２１０は、血液浄化装置３から取得した複数の動作情報Ｓ２に基づいて生成される。
【００９０】
「開始日時」は、洗消工程を開始した日時である。この洗消工程では、薬液消毒、酸洗浄及び過酢酸消毒が実施される。「工程」は、実施した工程を示している。「洗消完了時間」は、送液開始から最後に完了した血液浄化装置３の洗消完了時刻までの経過時間を示している。「洗消完了判定」は、（洗消工程が完了した台数）／（全血液浄化装置３の台数）で示されている。図４は、一例として、透析液供給装置２とネットワーク４を介して接続され、オンラインとなっている血液浄化装置３を７０台とし、その全部が洗消工程を終了したことを示している。「薬液使用量」は、透析液供給装置２が洗消工程で使用した薬液の使用量である。
【００９１】
「通し番号」は、ネットワーク４に接続されてオンラインとなっている血液浄化装置３を示している。「送液開始時刻」は、血液浄化装置３への送液を開始した時刻である。「置換完了時刻」は、「ＤＡＢ」には最後の置換が完了した血液浄化装置３の置換完了時刻を示し、「ＤＣＳ１」などには置換完了状態となった時刻を示している。「電導度（置換完了時）」及び「吸光度（置換完了時）」は、「ＤＡＢ」には置換完了時刻を表示する際の電導度を示し、「ＤＣＳ１」などには置換完了状態となった際の電導度と吸光度を示している。「洗消完了時刻」は、「ＤＡＢ」には最後に完了した血液浄化装置３の消毒完了時刻を示し、「ＤＣＳ１」などには消毒完了となった時刻を示している。「電導度（洗消完了時）」及び「吸光度（洗消完了時）」は、「ＤＡＢ」には洗消完了時刻を表示する際の電導度を示し、「ＤＣＳ１」などには洗消完了状態となった際の電導度と吸光度を示している。「合計液量」は、透析液供給装置２と血液浄化装置３が使用した液量を示している。
【００９２】
また洗消記録画面２１０には、「洗消記録」、「一括設定」及び「データ出力」を実行させるアイコンが表示されている。この「一括設定」のアイコン２１０ａは、血液浄化システム１の血液浄化装置群の設定項目を一括で設定させるための一括設定画面２１２に遷移するためのアイコンである。
【００９３】
図５に示す一括設定画面２１２は、一例として、洗消工程における一括設定可能な設定項目を示している。一括設定画面２１２は、洗消工程において設定可能な設定項目として「薬液消毒」、「酸洗浄」及び「過酢酸消毒」の動作選択と、洗消時間と、を示している。
【００９４】
「薬液消毒」の設定項目２１２ａは、動作選択のアイコン２１２ｄと、洗消時間のアイコン２１２ｇとを含む。動作選択のアイコン２１２ｄを選択（操作）することによって、薬液消毒の実施有無を設定可能である。洗消時間のアイコン２１２ｇを選択（操作）することによって、薬液消毒の実施時間を設定可能である。図５では、動作選択が「実施する」であり、洗消時間が「Ａ１分」に設定されている。
【００９５】
「酸洗浄」の設定項目２１２ｂは、動作選択のアイコン２１２ｅと、洗消時間のアイコン２１２ｈとを含む。動作選択のアイコン２１２ｅを選択（操作）することによって、酸洗浄の実施有無を設定可能である。洗消時間のアイコン２１２ｈを選択（操作）することによって、酸洗浄の実施時間を設定可能である。図５では、動作選択が「実施しない」であり、洗消時間が「Ａ２分」に設定されている。
【００９６】
「過酢酸消毒」の設定項目２１２ｃは、動作選択のアイコン２１２ｆと、洗消時間のアイコン２１２ｉとを含む。動作選択のアイコン２１２ｆを選択（操作）することによって、過酢酸消毒の実施有無を設定可能である。洗消時間のアイコン２１２ｉを選択（操作）することによって、過酢酸消毒の実施時間を設定可能である。図５では、動作選択が「実施しない」であり、洗消時間が「Ａ３分」に設定されている。
【００９７】
一括設定画面２１２には、送信アイコン２１２ｊが表示されている。透析液供給装置２の制御部２０は、タッチパネル２１の入力部が受け付けたユーザの送信アイコン２１２ｊに対するタッチ操作に基づいて一括設定画面２１２の設定項目に関する情報である設定項目情報Ｓ１を生成する。そして制御部２０は、生成した設定項目情報Ｓ１を通信部２３及びネットワーク４を介して一括して血液浄化装置群に送信し、設定項目の設定の指示を行う。なお図５に示す一括設定画面２１２は、薬液消毒のみをＡ１分間行う設定を示している。
【００９８】
本実施の形態では、血液浄化装置群は、透析液供給装置２に接続された全ての血液浄化装置３であるので、設定項目情報Ｓ１が全ての血液浄化装置３に送信される。なお接続された全ての血液浄化装置３がオンラインであるものとする。
【００９９】
なお変形例として、透析液供給装置２は、一括設定処理の対象となる全ての血液浄化装置３がオンラインである必要はなく、オフラインであった全て、又は一部の血液浄化装置３がオンラインとなった時点で入力された設定項目の設定を行うように構成されても良い。
【０１００】
ここで透析液供給装置２の制御部２０は、一括設定処理において、成否に関わらず、血液浄化装置群に対して設定項目の入力情報の設定指示を複数回繰り返す。血液浄化システム１は、指示の受信を示す信号を必要としない通信を行うので、指示漏れが生じる可能性がある。そこで透析液供給装置２の制御部２０は、指示が届かないことがないように、予め定められた期間、繰り返し設定項目情報Ｓ１を送信して設定に関する指示を行う。この予め定められた期間は、一例として、１分が好ましく、より好ましくは３０秒であるがこれに限定されない。また指示を行う回数は、一例として、２〜１０回が好ましく、２〜５回がより好ましい。
【０１０１】
また透析液供給装置２の制御部２０は、取得した動作情報Ｓ２に基づいて一括設定に関する工程が血液浄化装置３側で実施中である場合、一括設定の指示を阻止する。一括設定は、例えば、一括設定に関する工程が実施されていない場合に行われる。
【０１０２】
制御部２０は、洗消工程に関する一括設定を行う場合、当該工程が実施されていない場合としてプリセット工程期間中に一括設定を指示する。つまり制御部２０は、一括設定の対象となる血液浄化装置群がプリセット工程を実施中であるか否かに基づいて一括設定を許可するか制限するかを判断する。これは、洗消工程中に当該工程に関する設定項目を変更すると、洗浄や消毒が正常に終了しない可能性があるからである。なお、洗消工程に関する一括設定を行う場合、一括設定に伴う意図しない誤作動や不具合を効果的に防止できるプリセット工程が望ましいが、洗消工程以外の工程であれば足り、例えば、治療工程又は液置換工程において一括設定を行うことも可能である。
【０１０３】
また制御部２０は、治療工程に関する一括設定を行う場合、当該工程が実施されていない場合としてプリセット工程又は洗消工程期間中に一括設定を指示する。これは、治療工程中に当該工程に関する設定項目を変更すると、誤動作が生じる可能性があるからである。
【０１０４】
血液浄化装置３は、図６に示すように、タッチパネル３１の表示部に、取得した設定項目情報Ｓ１に基づく設定画面２１４を表示する。設定画面２１４では、一括設定画面２１２によって設定された設定項目が反映されている。
【０１０５】
なおこの設定画面２１４において、ユーザが設定を変更することが可能である。この設定画面２１４には、一例として、図６に示すように、洗消工程において設定可能な設定項目として「薬液消毒」、「酸洗浄」及び「過酢酸消毒」の動作選択と、洗消時間と、洗消流量と、を示している。
【０１０６】
「薬液消毒」の設定項目２１４ａは、操作選択のアイコン２１４ｄと、洗消時間のアイコン２１４ｇと、洗消流量のアイコン２１４ｊと、により設定することができる。図６の「薬液消毒」の設定項目２１４ａは、動作選択が「実施する」であり、洗消時間が「Ａ１分」であり、洗消流量が「Ｂ１ｍｌ／ｍｉｎ」に設定されている。「酸洗浄」の設定項目２１４ｂは、操作選択のアイコン２１４ｅと、洗消時間のアイコン２１４ｈと、洗消流量のアイコン２１４ｋと、により設定することができる。図６の「酸洗浄」の設定項目２１４ｂは、動作選択が「実施しない」であり、洗消時間が「Ａ２分」であり、洗消流量が「Ｂ２ｍｌ／ｍｉｎ」に設定されている。「過酢酸消毒」の設定項目２１４ｃは、操作選択のアイコン２１４ｆと、洗消時間のアイコン２１４ｉと、洗消流量のアイコン２１４ｌと、により設定することができる。図６の「過酢酸消毒」の設定項目２１４ｃは、動作選択が「実施しない」であり、洗消時間が「Ａ３分」であり、洗消流量が「Ｂ３ｍｌ／ｍｉｎ」に設定されている。
【０１０７】
上述のように、工程に関する設定項目の設定は、血液浄化装置３側においても行うことが可能である。この場合、設定は、設定項目に関する工程が実施されている場合を除いて可能である。
【０１０８】
以下に、本実施の形態の血液浄化システム１の一括設定に関する動作について図７のフローチャートに従って説明する。
【０１０９】
（動作）
透析液供給装置２の制御部２０は、ステップ１の「Ｙｅｓ」が成立する、つまりユーザによる血液浄化装置群の工程の実施に関わる設定項目の一括設定の指示を受け付けると（Ｓｔｅｐ１：Ｙｅｓ）、設定阻止部２０ｂが当該血液浄化装置群が現在実施している工程を動作情報Ｓ２に基づいて確認する。
【０１１０】
制御部２０の設定阻止部２０ｂは、現在実施されていない、つまり非実施の工程に関する一括設定の場合（Ｓｔｅｐ２：Ｙｅｓ）、一括設定を許可する（Ｓｔｅｐ３）。制御部２０の一括設定部２０ａは、受け付けた設定項目に基づいて設定項目情報Ｓ１を生成して出力し、一括設定に関する動作を終了する。なお制御部２０は、一括設定の指示を予め定められた期間内に複数回行う。
【０１１１】
ここでステップ２において制御部２０の設定阻止部２０ｂは、実施中の工程に関する一括設定であった場合（Ｓｔｅｐ２：Ｎｏ）、一括設定を阻止（拒否）する（Ｓｔｅｐ４）。
【０１１２】
（第１の実施の形態の効果）
本実施の形態に係る血液浄化システム１は、作業時間を短縮すると共に設定ミスを抑制することができる。具体的には、血液浄化システム１は、複数の血液浄化装置３の設定を一括で行なうことができるので、個別に設定する場合と比べて、作業時間を短縮することができる。また個別に設定する場合、入力ミスなどにより設定間違いが生じる可能性がある。しかし血液浄化システム１は、一括して設定することができるので、設定ミスを抑制することができる。
【０１１３】
血液浄化システム１は、透析液供給装置２及び血液浄化装置３のいずれの設定が反映されているのか、つまり設定元が動作情報Ｓ２から分かるので、この構成を採用しない場合と比べて、ユーザの認識と実際に反映された設定項目との齟齬を抑制することができる。
【０１１４】
血液浄化システム１は、予め定められた期間の間、設定項目情報Ｓ１を複数回送信するので、この構成を採用しない場合と比べて、設定項目の設定漏れを抑制することができる。
【０１１５】
血液浄化システム１は、血液浄化装置３の主要な４つの工程に対応して設定項目を設定することができるので、この構成を採用しない場合と比べて、４つの工程のいずれかの工程を対象として一括で設定項目を設定することができる。
【０１１６】
[第２の実施の形態]
第２の実施の形態は、一括設定と個別設定とを同時に受けた場合、設定変更を行うまでの猶予期間を設ける点で他の実施の形態と異なっている。
【０１１７】
本実施の形態の血液浄化システム１は、透析液供給装置２及び血液浄化装置群のいずれか一方の装置が設定項目の入力情報を受け付けているとき、又は一方の装置が入力情報を受け付けた後の予め定められた期間内に、一方の装置と他方の装置との間で、設定項目の入力に関する情報を共有するように概略構成されている。
【０１１８】
この予め定められた期間とは、一括設定と個別設定とが実質的に同時であるとされる期間が好ましい。従って予め定められた期間は、設定項目の入力が終了したユーザが装置から離れるまでの時間（一例として１分以内）を想定して定められることが好ましい。また血液浄化システム１は、一括設定と個別設定とを同時に受けたことを、表示と共に音や光などを用いて報知しても良い。
【０１１９】
血液浄化システム１は、例えば、ユーザが透析液供給装置２を操作して設定項目を入力中、又は入力終了後の予め定められた期間内において、他のユーザによって血液浄化装置群の血液浄化装置３が操作され、一括設定の対象となる工程の設定項目が変更された際、当該血液浄化装置３のタッチパネル３１の表示部に設定項目の入力に関する情報を表示させると共に透析液供給装置２のタッチパネル３１の表示部にも表示させる。
【０１２０】
この表示される内容は、例えば、他の装置によって変更中であること、入力中の装置における変更可能なタイミングについて、直前に設定が変更されたこと、一括設定が行われた後に個別設定が行われたこと、などである。
【０１２１】
本実施の形態の血液浄化システム１は、一括設定と個別設定とを同時に受けたことを透析液供給装置２及び血液浄化装置３とで共有することができるので、この構成を採用しない場合と比べて、ユーザの意図しない設定変更を抑制することができる。
【０１２２】
[第３の実施の形態]
第３の実施の形態は、優先順位に従って設定が行われる点で他の実施の形態と異なっている。
【０１２３】
本実施の形態の血液浄化システム１は、透析液供給装置２と血液浄化装置群とにおいて優先順位が予め定められ、透析液供給装置２と血液浄化装置群との間で、共通の設定項目に関するユーザの入力が競合する場合、優先順位が高い装置に入力された設定項目の入力情報が優先して設定されるように概略構成されている。
【０１２４】
ユーザによる設定項目の入力が競合するとは、例えば、透析液供給装置２の方が血液浄化装置３よりも優先度が高い場合、ある工程に関する設定項目が血液浄化装置３側で変更されても優先度が高い透析液供給装置２の設定が優先される、つまり血液浄化装置３側で変更された設定が破棄されることを示している。また言い換えるなら血液浄化システム１は、個別設定よりも一括設定が優先される。なお血液浄化装置３が優先される場合、一括設定よりも個別設定が優先される。
【０１２５】
なお変形例として、血液浄化システム１は、一定期間を受け付け期間とし、その期間経過後に、競合している場合には、設定された優先順位に基づいて設定を行っても良い。また他の変形例として、血液浄化システム１は、入力しているか否かに関わらず、ある画面を開いている状態が透析液供給装置２及び血液浄化装置３の間で競合する場合、設定された優先順位に基づいて設定を行っても良い。
【０１２６】
本実施の形態の血液浄化システム１は、優先順位に従って設定項目が設定されるので、この構成を採用しない場合と比べて、ユーザの意図しない設定変更を抑制することができる。
【０１２７】
[第４の実施の形態]
第４の実施の形態は、設定項目を設定した工程が終了した後、この設定項目をリセットする点で他の実施の形態と異なっている。
【０１２８】
本実施の形態の血液浄化システム１は、設定項目に関する工程が終了した後、新たな設定項目の入力情報を受け付けるために当該工程に関する設定項目の設定情報を初期化するように概略構成されている。
【０１２９】
この血液浄化システム１は、一度優先して設定項目を設定した場合、工程が終了するまで設定変更を受け付けないように構成されている。そのため、血液浄化システム１は、優先順位に従って設定した設定項目に関する工程が終了した後、当該設定項目のリセットを行う。このリセットによって血液浄化装置３は、設定項目の変更を受け付けることが可能となる。
【０１３０】
本実施の形態の血液浄化システム１は、優先順位に従って設定項目を設定した工程が終了した後、この設定項目をリセットするので、この構成を採用しない場合と比べて、ユーザの意図した設定を優先することができる。
【０１３１】
[第５の実施の形態]
第５の実施の形態は、一括設定の予約を受け付ける点で他の実施の形態と異なっている。
【０１３２】
本実施の形態の血液浄化システム１は、血液浄化装置群において設定項目に関する工程が実施されている場合、設定阻止部２０ｂが、一括設定部２０ａの一括設定処理を阻止し、当該工程が終了した後、一括設定部２０ａが、一括設定処理を行うように概略構成されている。
【０１３３】
この血液浄化システム１は、実施中の工程に関する一括設定を阻止して後、当該工程が終了した後に一括設定する、つまり一括設定の予約を受け付けることができる。ユーザは、当該工程が終了するまで一括設定の入力を待たなくても良くなる。
【０１３４】
本実施の形態の血液浄化システム１は、一括設定の予約を受け付けることができるので、予約を受け付けない場合と比べて、ユーザが工程の終了を待って一括設定の入力を行わなくても良くなる。
【０１３５】
[第６の実施の形態]
第６の実施の形態は、一括設定の指示がなされた設定項目が設定範囲外である場合に設定を行わない点で他の実施の形態と異なっている。
【０１３６】
本実施の形態の血液浄化システム１の血液浄化装置群は、透析液供給装置２から設定指示を受ける設定項目の指示内容が、予め定められた設定範囲内に属することを条件として、設定項目の指示内容を設定するように概略構成されている。
【０１３７】
血液浄化装置３は、装置ごとに設定可能な範囲を有している。血液浄化システム１は、一括設定においてその予め定められた設定範囲内の設定のみを受け付ける。例えば、洗消工程の最低時間が３０分である場合、血液浄化装置３がノイズの影響などで設定範囲外の１０分の設定を受け付けて実行すると、洗浄及び消毒が十分でない可能性がある。
【０１３８】
そこで血液浄化システム１は、設定範囲から外れた設定項目がある場合、その一括設定を受け付けないように構成されている。なお変形例として血液浄化システム１は、設定項目に上限値と下限値が設定されている場合、上限値を超えたら上限値に、下限値を下回ったら下限値に設定するように構成されても良い。
【０１３９】
本実施の形態の血液浄化システム１は、設定項目内の設定項目の一括設定のみを受け付けるので、この構成を採用しない場合と比べて、設定範囲外の動作を抑制することができる。
【０１４０】
以上述べた少なくとも１つの実施の形態の血液浄化システム１によれば、作業時間を短縮すると共に設定ミスを抑制することができる。
【０１４１】
（実施の形態のまとめ）
次に、以上説明した複数の実施の形態から把握される技術思想について、実施の形態における符号などを援用して記載する。ただし、以下の記載における各符号などは、特許請求の範囲における構成要素を実施の形態に具体的に示した部材などに限定するものではない。
【０１４２】
[１]患者の血液を浄化する複数の血液浄化装置（３）と、
前記複数の血液浄化装置（３）の工程に応じた液体を供給する供給部（２２）、及びユーザから入力情報を受け付ける入力受付部を有する液供給装置（３）と、を備える血液浄化システム（１）であって、
前記複数の血液浄化装置（３）の全て又は一部で構成される血液浄化装置群の工程に関する設定項目の入力情報を、前記入力受付部を介してユーザから受け付ける場合、前記血液浄化装置群に対して前記設定項目の当該入力情報を一括で設定する一括設定処理を行う一括設定部２０ａと、
前記血液浄化装置群において前記設定項目に関する工程が少なくとも実施されている間、前記一括設定部が前記一括設定処理を行うことを阻止する設定阻止部２０ｂと、
を更に有する血液浄化システム（１）。
【０１４３】
[２]前記液供給装置（２）及び前記血液浄化装置群のいずれか一方の装置が前記設定項目の入力情報を受け付けているとき、又は前記一方の装置が入力情報を受け付けた後の予め定められた期間内に、前記一方の装置と他方の装置との間で、前記設定項目の入力に関する情報を共有する、
前記[１]に記載の血液浄化システム（１）。
【０１４４】
[３]前記液供給装置（２）と前記血液浄化装置群とにおいて優先順位が予め定められ、
前記液供給装置（２）と前記血液浄化装置群との間で、共通の前記設定項目に関するユーザの入力が競合する場合、前記優先順位が高い装置に入力された前記設定項目の入力情報が優先して設定される、
前記[１]又は[２]に記載の血液浄化システム（１）。
【０１４５】
[４]前記設定項目に関する工程が終了した後、新たな設定項目の入力情報を受け付けるために当該工程に関する前記設定項目の設定情報を初期化する、
前記[３]に記載の血液浄化システム（１）。
【０１４６】
[５]前記血液浄化装置群において前記設定項目に関する工程が実施されている場合、前記設定阻止部２０ｂが、前記一括設定部２０ａの前記一括設定処理を阻止し、当該工程が終了した後、前記一括設定部２０ａが、前記一括設定処理を行う、
前記[１]乃至[４]のいずれか１つに記載の血液浄化システム（１）。
【０１４７】
[６]前記液供給装置（２）及び前記血液浄化装置群のうち前記設定項目の入力情報を設定した装置を示す識別情報を記憶する、
前記[１]乃至[５]のいずれか１つに記載の血液浄化システム（１）。
【０１４８】
[７]前記血液浄化装置群は、前記液供給装置（２）から設定指示を受ける前記設定項目の指示内容が、予め定められた設定範囲内に属することを条件として、前記設定項目の指示内容を設定する、
前記[１]乃至[６]のいずれか１つに記載の血液浄化システム（１）。
【０１４９】
[８]前記液供給装置（２）は、前記一括設定処理において、成否に関わらず、前記血液浄化装置群に対して前記設定項目の入力情報の設定指示を複数回繰り返す、
前記[１]乃至[７]のいずれか１つに記載の血液浄化システム（１）。
【０１５０】
[９]前記設定項目に関する前記血液浄化装置群の工程は、前記供給部（２２）が透析液を供給することにより血液を浄化する治療工程、前記供給部（２２）が洗浄液又は消毒液を供給することにより前記透析液が流れる透析液回路を洗浄又は消毒する洗浄消毒工程、待機状態である待機工程、及び、前記洗浄液又は消毒液とは異なる液体を前記供給部（２２）が供給することにより、前記洗浄消毒工程において使用された洗浄液又は消毒液を当該液体に置換する液置換工程の少なくとも１つの工程である、
前記[１]乃至[８]のいずれか１つに記載の血液浄化システム（１）。
【０１５１】
[１０]前記複数の血液浄化装置（３）の工程に応じた液体を供給する供給部（２２）と、
ユーザから入力情報を受け付ける入力受付部と、
前記複数の血液浄化装置（３）の全て又は一部で構成される血液浄化装置群の工程に関する設定項目の入力情報を、前記入力受付部を介してユーザから受け付ける場合、前記血液浄化装置群に対して前記設定項目の当該入力情報を一括で設定する一括設定処理を行う一括設定部（２０ａ）と、
前記血液浄化装置群において前記設定項目に関する工程が少なくとも実施されている間、前記一括設定部（２０ａ）が前記一括設定処理を行うことを阻止する設定阻止部（２０ｂ）と、
を備えた液供給装置（２）。
【０１５２】
以上、本発明のいくつかの実施の形態及び変形例を説明したが、これらの実施の形態及び変形例は、一例に過ぎず、特許請求の範囲に係る発明を限定するものではない。これら新規な実施の形態及び変形例は、その他の様々な形態で実施されることが可能であり、本発明の要旨を逸脱しない範囲で、種々の省略、置き換え、変更などを行うことができる。また、これら実施の形態及び変形例の中で説明した特徴の組合せの全てが発明の課題を解決するための手段に必須であるとは限らない。さらに、これら実施の形態及び変形例は、発明の範囲及び要旨に含まれると共に、特許請求の範囲に記載された発明とその均等の範囲に含まれる。
【符号の説明】
【０１５３】
１…血液浄化システム、２…透析液供給装置、３…血液浄化装置、４…ネットワーク、５…ＲＯ水製造装置、６…酸洗浄用薬液導入部、７…消毒用薬液導入部、８…溶解装置、１２…通信部、２０…制御部、２０ａ…一括設定部、２０ｂ…設定阻止部、２１…タッチパネル、２２…供給部、２３…通信部、２４…記憶部、３０…制御部、３１…タッチパネル、３２…血液浄化部、３２ａ…透析液導入ライン、３２ｂ…透析液排出ライン、３２ｃ…動脈側血液回路、３２ｄ…静脈側血液回路、３３…検知部、３３ａ〜３３ｃ…濃度検知センサ、３３ｄ…ｐＨ検知センサ、３３ｅ…温度検知センサ、３３ｆ…温度検知センサ、３３ｇ…液圧検知センサ、３４…通信部、３５…記憶部、９０〜９２…ポンプ、２１０…洗消記録画面、２１０ａ…アイコン、２１２…一括設定画面、２１２ａ〜２１２ｃ…設定項目、２１２ｄ〜２１２ｉ…アイコン、２１２ｊ…送信アイコン、２１４…設定画面、２１４ａ〜２１４ｃ…設定項目、２１４ｄ〜２１４ｌ…アイコン、２１５…一括設定画面、３２０…ダイアライザ、３２０ａ…血液導入口、３２０ｂ…血液導出口、３２０ｃ…透析液導入口、３２０ｄ…透析液導出口、３２１ａ，３２１ｂ…カプラ、３２２ａ〜３２２ｆ…電磁弁、３２４ａ，３２４ｂ…濾過フィルタ、３２５…複式ポンプ、３２６…除水ポンプ、３２７…血液ポンプ、３５０…履歴情報
【図１】
2020192287.tif 000003
【図２】
2020192287.tif 000004
【図３】
2020192287.tif 000005
【図４】
2020192287.tif 000006
【図５】
2020192287.tif 000007
【図６】
2020192287.tif 000008
【図７】
2020192287.tif 000009